(57)【要約】特に食品用の容器  本発明は容器（１）に関する。容器（１）は、開口を形成する本体（２）、本体（２）に対して旋回可能な移動リング（４）、ならびに本体（２）およびリング（４）に接続する可撓性弾性素材で作られるシール（３）を含む。シール（３）はリング（４）を旋回することによって、ねじられることが可能である。本発明によれば、本体（２）は円形の周壁（１０）を含む。円形の周壁（１０）は開口を画定する自由端部で終端する。リング（４）は壁（１０）の周りに配置されることを目的とする。周壁（１０）またはリング（４）のうちの一方は一連の溝（１１および１５）を含む。リング（４）または周壁（１０）のうちの他方は突起を含む。突起が一連の溝内を移動することによって、シール（３）がねじられ始めるときに、壁（１０）に対するリング（４）の軸方向の移動が誘導される。【選択図】  図２
2015516336.tif 000002
【特許請求の範囲】
【請求項１】
特に食品用の容器（１）であって、
−開口（２ａ）を形成する容器本体（２）と、
−前記容器本体（２）に対して、前記開口（２ａ）を開放する位置と前記開口（２ａ）を封鎖する位置との間で旋回可能な移動リング（４）と、
−可撓性弾性素材で作られるシール（３）であって、一方では前記本体（２）に接続し、他方では前記リング（４）に接続し、前記リング（４）を前記本体（２）に対して旋回することによって、前記開放位置と封鎖位置との間でねじられることが可能であり、前記シール（３）の変形は、前記シール（３）が前記容器（１）の前記開口を開放する、ねじられていない状態と、前記シールが開口を封鎖する、ねじられた状態との間で発生するシール（３）と、
を備える、容器（１）であって、
前記本体（２）は円形の周壁（１０）を備え、前記円形の周壁（１０）は前記開口（２ａ）を画定する自由端部で終端し、前記リング（４）は前記壁（１０）の周りに係合するように設計されることを特徴とし、
−前記周壁（１０）および前記リング（４）のうち１つは、
−斜めの溝（１４）であって、前記斜めの溝（１４）の第１の端部は、前記開口（２ａ）から第１の軸方向の距離に位置し、前記斜めの溝（１４）の第２の端部は、前記開口（２ａ）から第２の軸方向の距離に位置する斜めの溝（１４）と、
−円周溝（１５）であって、前記円周溝（１５）の１つの端部が前記斜めの溝（１４）の前記第２の端部と連通する円周溝（１５）と、
−前記円周溝（１５）に沿って形成される複数の切込み（１６）であって、前記溝（１５）に対して横向きであり、前記溝（１５）と連通する切込み（１６）と、
を備え、
−前記周壁（１０）と前記リング（４）のもう一方は突起（２１）を備え、前記突起（２１）は前記斜めの溝（１４）および前記円周溝（１５）に対して係合可能かつ摺動可能であり、前記複数の切込みの前記切込み（１６）のうちのいずれかと部分的に係合可能であり、
前記斜めの溝（１４）が配置される位置では、前記斜めの溝（１４）内で前記突起（２１）が移動することによって、前記開放位置から前記封鎖位置までの前記リング（４）の前記移動の第１の部分の間は、前記リング（４）および前記開口（２ａ）が互いに軸方向に近づく方向に、前記リング（４）は軸方向に移動し、反対に、前記斜めの溝（１４）内で前記突起（２１）が移動することによって、前記封鎖位置から前記開放位置までの前記リング（４）の前記移動の第２の部分の間は、前記リング（４）と前記開口（２ａ）が前記軸方向に離れる方向に、前記リング（４）は軸方向に移動し、
前記切込み（１６）の少なくとも第１の切込みは、前記シール（３）が部分的にねじられた状態にあるとき、前記突起（２１）を受容するような角度で配置され、前記切込み（１６）の第２の切込みは、前記シール（３）が完全にねじられた状態にあるとき、前記突起（２１）を受容するような角度で配置される、容器。
【請求項２】
２つの角度的に対向する突起（１８、２１）と、対応するように角度的に対向する２つの溝（１４、１５；１４’）のセットを備えることを特徴とする、請求項１に記載の容器（１）。
【請求項３】
前記容器本体（２）は、前記第１の突起（１８）と、前記第１の溝（１４、１５）のセットとを備える一方、前記リング（４）は、前記第１の突起（１８）を受容するように設計される第２の溝（１４’）のセット（２０）と、前記第１の溝のセット（２０）を受容するように設計される第２の突起（２１）とを備えることを特徴とする、請求項２に記載の容器（１）。
【請求項４】
請求項１〜３のいずれか１つに記載の容器（１）であって、前記円周溝（１５）は、前記シール（３）が部分的にねじられた状態にあるとき、前記突起（２１）を受容するような角度に配置される少なくとも２つの切込み（１６）を備え、
−１つの切込み（１６）は、前記容器（１）の前記開口（２ａ）を半分封止するように対応する位置に配置され、前記容器に含有される製品（１）が調理されるように十分な開口（２ａ）を維持し、
−少なくとも１つの切込み（１６）は、前記開口（２ａ）を完全に封止する位置に対応して、前記切込み（１６）の側部に配置され、飲み物用のストローが通過できるだけの十分な開口（２ａ）を維持することを特徴とする、容器（１）。
【請求項５】
溝（１４、１５；１４’）の各セットは吸気口（１３、１３’）を備え、前記吸気口（１３、１３’）は前記周壁（１０）の前記自由端部または前記リング（４）の自由端部とつながり、前記斜めの溝（１４、１４’）の前記第１の端部と連通することを特徴とする、請求項１〜４のいずれか１つに記載の容器（１）。
【請求項６】
溝の各セットは、前記斜めの溝（１４、１４’）と前記吸気口（１３、１３’）との間に段差、または他の種類の硬点を有し、前記斜めの溝から前記吸気口（１３、１３’）まで進むためには、前記突起（２１、１８）は前記段差を乗り越えなければならないことを特徴とする、請求項５に記載の容器（１）。
【請求項７】
前記吸気口（１３、１３’）は、前記自由端部に向かって幅が広くなることを特徴とする、請求項６に記載の容器（１）。
【請求項８】
請求項５〜７のいずれか１つに記載の容器（１）であって、溝の各セットはさらに、
−前記斜めの溝（１４、１４’）と前記吸気口（１３、１３’）との間に位置し、前記吸気口（１３、１３’）のそれぞれと連通する中間溝（１２、１２’）と、
−前記リング（４）を前記容器本体（２）から解放するための溝（１１、１７；１７’）であって、中間溝（１２、１２’）と連通し、前記自由端部とつながる溝（１１、１７；１７’）と
を備えることを特徴とする、容器（１）。
【請求項９】
前記中間溝（１２、１２’）は前記開放溝（１１、１７；１７’）と段差、または他の種類の硬点によって連通し、前記中間溝から前記開放溝まで進むためには、前記突起（２１、１８）は前記段差を乗り越えなければならないことを特徴とする、請求項８に記載の容器（１）。
【請求項１０】
前記周壁（１０）は、前記シール（３）の外面にアクセスできるように、幅広な開口を備えることを特徴とする、請求項１〜９のいずれか１つに記載の容器（１）。
【発明の詳細な説明】
【技術分野】
【０００１】
本発明は容器、特に食品用の容器に関する。
【背景技術】
【０００２】
同一の出願人による特許文献１から、特に、容器の開口を開閉するために、シールを形成するスリーブを備える容器を製造することは既知である。このシールは、容器本体および本体に対して旋回するリングに接続され、可撓性弾性素材から作られている。容器の開口を封鎖する、ねじられた状態と、開口を開放する、ねじられていない状態との間でねじることで、シールは変形可能である。
【０００３】
既存の容器は、上記開口を開閉するための操作性、または開口を開閉するために提供される可能性に関して、完全に満足できるものではない。
【０００４】
さらに、既存の容器は、容器に含有される製品を容器から注出するとき、製品残留物が、ねじられた状態において、シールによって形成される膜の外面に残るという具体的な欠点を有する。
【０００５】
特許文献２は、ねじるシールを持つ同じ種類の別の既知の容器を例示する。この容器は、リングを一定の角度位置において固定するための切込みを備える。
【先行技術文献】
【特許文献】
【０００６】
【特許文献１】フランス特許第２,９２２,１９５号
【特許文献２】米国出願第２００５／０８２２４８号
【発明の概要】
【発明が解決しようとする課題】
【０００７】
本発明は上記欠点のすべてを解決することを目的とする。
【課題を解決するための手段】
【０００８】
当該本容器は、既知の様式で、
−開口を形成する容器本体、
−本体に対して、開口を開放する位置と開口を封鎖する位置との間で旋回可能な移動リング、および
−可撓性弾性素材で作られるシールを形成するスリーブ（以降「シール」という）であって、一方では上記本体に接続し、他方では上記リングに接続し、リングを本体に対して旋回することによって、上記開放位置と封鎖位置との間でねじられることが可能であり、シールが容器の開口を開放する、ねじられていない状態と、上記シールが開口を封鎖する、ねじられた状態との間で、シールの変形が発生するスリーブを備える。
【０００９】
本発明によれば、上記本体は、円形の周壁を備える。円形の周壁は開口を画定する自由端部で終端し、上記リングは壁の周りに係合するように設計される。
−上記周壁および上記リングのうちの１つは、
−斜めの溝であって、斜めの溝の第１の端部は、上記開口から第１の軸方向の距離に位置し、斜めの溝の第２の端部は、上記開口から第２の軸方向の距離に位置する溝、
−１つの端部が、上記斜めの溝の上記第２の端部と連通する円周溝、および
−上記円周溝に沿って形成される複数の切込みであって、上記溝に対して横向きであり、上記溝と連通する切込みを備える。
−上記周壁と上記リングのもう一方は突起を備える。突起は、上記斜めの溝および上記円周溝に対して係合可能かつ摺動可能であり、上記複数の切込みの上記切込みのうちのいずれかと部分的に係合可能である。
上記斜めの溝が配置される位置では、斜めの溝内で上記突起が移動することによって、上記開放位置から上記封鎖位置までリングが移動する第１の部分の間は、リングおよび上記開口が互いに軸方向に近づく方向に、リングは軸方向に移動し、反対に、斜めの溝内で突起が移動することによって、上記封鎖位置から上記開放位置までリングが移動する第２の部分の間は、リングと上記開口が軸方向に離れる方向に、リングは軸方向に移動する。
上記切込みの少なくとも第１の切込みは、シールが部分的にねじられた状態にあるとき、上記突起を受容するような角度で配置され、上記切込みの第２の切込みは、シールが完全にねじられた状態にあるとき、上記突起を受容するような角度で配置される。
【００１０】
したがって、本発明によって、上記周壁に対してリングを誘導して移動することが可能となる。この移動は、上記突起を上記溝内で誘導し、次に上記切込みのいずれかに誘導することによって行われる。
【００１１】
上記開放位置では、リングは上記開口に対して軸方向に離れた位置にある。シールは、上記周壁の内面に沿って延在する第１の部分、上記自由端部を囲む中間部分、周壁の外面に沿って延在し、リングに接続する上記第２の部分を形成する。この開放位置において、容器に含有される製品が容器から開口を通じて注出されるとき、この製品はシールの上記第１の部分および上記中間部分に沿って流れるが、シールの上記第２の部分の上は流れない。
【００１２】
開放位置から封鎖位置までのリングの移動によって、突起が斜めの溝内を移動し、それによって、リングが開口に向かって軸方向に移動し、同時にシールのねじりが開始される。この軸方向の移動によって、シールの上記第１の部分および上記中間部分が本体の内部に向かって後退し、第１の部分および中間部分に残っている製品残留物は、封止中にねじられるように設計されているシールの領域よりも下部になる。続いて、突起が上記円周溝内を移動することによって、次に、周壁に対してリングの旋回移動が誘導され、さらにシールをねじる。次に、突起が上記切込みのいずれかに係合し、ねじられたシールによってリングに加えられる軸方向の弾性復元力によって、その突起はその切込みに維持される。この係合によって、リングを選択した角度位置に維持し、部分的にまたは完全に容器を封止することができる。
【００１３】
封止後に、上記製品残留物は上記ねじられたシールによって形成される膜の内面に位置し、膜の外面には製品は存在しない。
【００１４】
上記封鎖位置から容器の開口を解放する動きは、前述の順序とは逆の順序で行われる
【００１５】
容器は、前述したように、１つの突起および１セットの溝のみを備えていてもよい。ただし、好ましくは、２つの角度的に対向する突起、および対応して角度的に対向する２セットの溝を備えていてもよい。
【００１６】
このようにして、リングの完全な誘導を行うことができる。
【００１７】
このとき、容器本体は、両方の突起、または両方のセットの溝のうちいずれかを備えることができ、リングはそれぞれ対応して、両方のセットの溝または両方の突起のいずれかを備えることができる。ただし、かさを小さくするために、前述したように、容器本体が第１の突起および第１のセットの溝を備える一方、リングが、上記第１の突起を受容するように設計される第２のセットの溝および上記第１のセットの溝に係合するように設計される第２の突起を備えることが好ましい。
【００１８】
好ましくは、リングの高さ（つまり、軸方向の寸法）は、上記周壁より低い。上記第２のセットの溝はこのとき円周溝を備えず、斜めの溝のみを備える。上記第１の突起は、リングが上記開口に近づく軸方向への移動の終わりに、上記第２のセットの溝から外れる。リングの旋回は第２の突起が上記円周溝を移動することによってのみ誘導されるため、実際の使用時には特に問題とならない。
【００１９】
好ましくは、円周溝は、シールが部分的にねじられた状態のとき、上記突起を受容するような角度で配置される少なくとも２つの切込みを、次のように備える。
−１つの切込みは、半分封止した容器の開口に対応する位置に配置され、容器に含有される製品を、たとえば電子レンジで調理できるように十分な開口を維持する。したがって、この位置は「調理位置」と呼ばれる。
−少なくとも１つの切込みは、開口を完全に封止する位置に対応する切込みの側部に配置され、飲み物用のストローが通過するためにちょうど十分な開口を提供する。したがって、この位置は「ストロー位置」と呼ばれる。
【００２０】
好ましくは、溝の各セットは吸気口を備える。吸気口は、周壁の自由端部、またはリングの自由端部にとつながり、上記斜めの溝の上記第１の端部と連通する。
【００２１】
この吸気口によって、突起と上記溝のセットとの係合が容易になる。
【００２２】
容器の使用中に、望ましくないときに、突起が上記吸気口と係合することを避けるために、つまり、突起を上記溝のセットに維持するために、溝の各セットは、上記斜めの溝と上記吸気口との間に、段差、または他の種類の硬点を備える。上記斜めの溝から上記吸気口に進むためには、突起はこの段差を乗り越えなければならない。
【００２３】
好ましくは、上記吸気口は、上記自由端部に向かって幅が広くなる。
【００２４】
上記溝の側面端部を形成する壁によって、突起が上記斜めの溝内に復元することを誘導でき、結果として、この復元が容易になる。
【００２５】
好ましくは、溝の各セットはさらに、
−上記斜めの溝と上記吸気口との間に位置し、上記吸気口と連通する中間溝、および
−容器本体に対してリングを解放するための溝であって、上記自由端部とつながる中間溝と連通する溝を備える。
【００２６】
突起を開放溝に係合することによって、シールをねじると、リングは上記開放位置を超えて旋回して移動できるようになり、上記リングは、容器の開口を超えるまで、上記周壁に沿って軸方向に移動できる。この移動により、シールを伸ばすことによって、上記壁に対してリングが解放され、したがって、容器を簡単に洗浄することができる。このため、リングの開放位置は「洗浄位置」と呼ばれる。
【００２７】
容器の使用中に、望ましくないときに、突起が上記解放溝と係合することを避けるために、上記中間溝は段差または他の種類の硬点によって、開放溝と連通する。上記中間溝から上記解放溝まで進むためには、突起はこの段差を乗り越えなければならない。
【００２８】
この洗浄を容易にするために、上記周壁は、有利には、シールの外面にアクセスできる幅広な開口を備える。
【００２９】
当該容器の２つの可能な実施形態を非限定例として示す添付図を参照して、本発明は理解され、本発明の他の特徴および利点が明らかになるであろう。
【図面の簡単な説明】
【００３０】
【図１】容器の開口を開放状態で示す斜視図である。
【図２】第１の実施形態による、分解および拡大した部分斜視図である。
【図３】第１の実施形態による容器を上記開放状態で示す部分側面図である。
【図４】第１の実施形態による容器を同じ開放状態で示す上面図である。
【図５】第１の実施形態による容器の溝のセット、および容器の突起を、上記開放状態において突起が占める位置において示す展開図である。
【図６】第１の実施形態による容器の、図４のＶＩ−ＶＩの線に沿った切断面の拡大側面図である。
【図７】第１の実施形態による容器を、容器の開口を封鎖する第１の中間位置（「調理位置」という）において示す、図３に類似する図である。
【図８】第１の実施形態による容器を、容器の開口を封鎖する第１の中間位置（「調理位置」という）において示す、図４に類似する図である。
【図９】第１の実施形態による容器を、容器の開口を封鎖する第１の中間位置（「調理位置」という）において示す、図５に類似する図である。
【図１０】第１の実施形態による容器を、容器の開口を封鎖する第１の中間位置（「調理位置」という）において示す、図６に類似する図である。
【図１１】第１の実施形態による容器を、容器の開口を封鎖する第２の中間位置（「ストロー位置」という）において示す、図３に類似する図である。
【図１２】第１の実施形態による容器を、容器の開口を封鎖する第２の中間位置（「ストロー位置」という）において示す、図４に類似する図である。
【図１３】第１の実施形態による容器を、容器の開口を封鎖する第２の中間位置（「ストロー位置」という）において示す、図５に類似する図である。
【図１４】第１の実施形態による容器を、容器の開口を封鎖する第２の中間位置（「ストロー位置」という）において示す、図６に類似する図である。
【図１５】第１の実施形態による容器を、容器の開口を完全に封鎖する位置において示す、図３に類似する図である。
【図１６】第１の実施形態による容器を、容器の開口を完全に封鎖する位置において示す、図４に類似する図である。
【図１７】第１の実施形態による容器を、容器の開口を完全に封鎖する位置において示す、図５に類似する図である。
【図１８】第１の実施形態による容器を、容器の開口を完全に封鎖する位置において示す、図６に類似する図である。
【図１９】第１の実施形態による容器を、容器のリングを解放する位置（「洗浄位置」という）において示す、図３に類似する図である。
【図２０】第１の実施形態による容器を、容器のリングを解放する位置（「洗浄位置」という）において示す、図４に類似する図である。
【図２１】第１の実施形態による容器を、容器のリングを解放する位置（「洗浄位置」という）において示す、図５に類似する図である。
【図２２】第１の実施形態による容器を、容器のリングを解放する位置（「洗浄位置」という）において示す、図６に類似する図である。
【図２３】第１の実施形態による容器の、外側リングの断面図である。
【図２４】第２の実施形態による、図１に類似する容器の図である。
【図２５】第２の実施形態による、図２に類似する容器の分解組立図である。
【図２６】第２の実施形態による容器の溝のセットおよび、容器の突起を、上記開放状態において突起が占める位置において示す展開図である。
【図２７】第２の実施形態による容器が備え、図２６に類似する上記溝のセットおよび上記突起を、容器の開口を完全に封鎖した位置において示す図である。
【図２８】図２３に類似する、容器の外側リングの断面図である。
【発明を実施するための形態】
【００３１】
図１は特に食品用の容器１を示す。容器１は、上部開口２ａを形成する容器本体２、可撓性弾性素材から作られているシール３を形成するスリーブ（以降「シール」という）、および上記本体２に対して旋回可能であり、軸方向に移動可能なリング４を備える。上記シール３は、一方では本体２に接続し、他方ではリング４に接続する。図３から図１８に示すように、シール３は、リング４を本体２に対して旋回させることによってねじられることができる。この変形は、シール３が完全に開口２ａを開放する、ねじられていない状態（図３から図６を参照）と、シール３が完全に開口２ａを封鎖する、完全にねじられた状態（図１５から図１８を参照）との間で発生する。
【００３２】
リング４はまた、「調理位置」と呼ばれる中間封鎖位置に配置および維持されることもあり（図７から図１０を参照）、「ストロー位置」と呼ばれる中間封鎖位置（図１１から図１４を参照）に配置および維持されることもある。
【００３３】
リング４はさらに、「洗浄位置」と呼ばれる隆起した開放位置に配置されることもある（図１９から図２２を参照）。
【００３４】
図２および図６にさらに具体的に示すように、例示する例では、容器１は内側カップおよび外側カップを組み立てることによって形成され、それによって、容器１は二重壁を有する。これらの内側および外側カップの上部自由端部は一緒に、円形の周壁１０を受容するシートを形成し、開口２ａを画定する自由端部で終端する。
【００３５】
この壁１０は、壁の中空に配置される溝のセットを備える。溝は外面から、図２の右から左に延在し、溝のセットは、吸気口１３、中間溝１２、開放溝１７、１１、斜めの溝１４、円周溝１５、および上記円周溝１５に沿って配置された複数の切込み１６によって形成される。
【００３６】
このセットを展開して図５に示す。
【００３７】
吸気口１３は壁１０の上部自由端部とつながり、軸方向に自由端部から離れた位置で中間溝１２と連通する。吸気口１３は、溝１２との連通部から自由端部に向かって膨張する形を有する。図２に示すように、吸気口１３の底部と溝１２の深底部の間にはさらに水平面で差があり、段差を形成する。
【００３８】
中間溝１２は開放溝１７、１１と連通する。開放溝１７、１１は、上記自由端部から離れた位置で中間溝１２と連通する斜めの溝１７を備え、軸方向の溝１１は自由端部とつながる。溝１７の底部と溝１２の深底部との間には水平面の差が存在し、それによって、段差を形成する。
【００３９】
溝１２はまた、溝１７と反対の長手方向側で、斜めの溝１４と連通する。
【００４０】
斜めの溝１４は第１の端部で、上記開口２ａから第１の軸方向の距離に位置する第１の位置において、溝１２と連通する。斜めの溝１４は第２の端部で、開口２ａから第２の軸方向の距離に位置する第２の位置において、円周溝１５と連通する。第２の軸方向の距離は第１の軸方向の距離より短い。
【００４１】
円周溝１５は溝１４と連通し、壁１０の周囲の広範な部分にわたって延在する。
【００４２】
切込み１６は溝１５に対して、上記自由端部に最も近い溝１５の側面に横方向に配置され、自由端部と連通する。図９に示すように、斜めの溝１４に最も近い切込み１６は、上記「調理位置」においてリング４に固定された突起２１を受容し、この位置にリング４を差し込むことを可能にする。図１３に示すように、一連の４つの中間切込みの一部である切込み１６は、突起２１を上記「ストロー位置」で受容し、この位置にリング４を差し込むことを可能にし、ストローの回りにシール３が形成する膜で封止する。これらの４つの中間切込み１６によって、様々なストローの直径に適応する複数の直径を得ることが可能となる。図１７に示すように、斜めの溝１４の反対側の溝１５の端部に位置する切込み１６は、突起２１を完全封鎖位置で受容し、この位置にリング４を差し込むことを可能にする。
【００４３】
前述した上記中空アセンブリとは別に、壁１０はまた、図６に示す突起１８を備える。突起１８は、壁１０から径方向外側に突出し、吸気口１３とは正反対の場所に位置する。
【００４４】
壁１０はさらに、本体２の上記カップが形成するシートを補完するアセンブリシートを形成する下端部と共に、壁１０を貫通する幅広い洗浄用開口を備える。
【００４５】
シール３は、図６に示すように、上記内側カップと壁１０の下部との間に軸方向の端部のうちの１つを挟むことによって、本体２に接続する。図６に示すように、開口２ａを開放する上記位置において、シール３は、上記壁１０の内面に沿って延在する第１の部分、壁１０の自由端部を囲む中間部分、および壁１０の外面に沿って延在し、リング４に接続するする第２の部分を有する。
【００４６】
リング４の高さ（つまり、軸方向の寸法）は、周壁１０より低い。リング４は、内側リング４ａと外側リング４ｂとのアセンブリによって形成される。内側リング４ａと外側リング４ｂとの間にはシール３の第２の軸方向の端部が挟まれる。
【００４７】
図２および図２３が示すように、内側リング４ａは、上記内側リングの内面から離れて中空に配置される、溝１２’、１３’、１４’および１７’からなるセット２０を備える。これらの溝は、上記溝１２、１３、１４および１７と実質的に同一の構造を有するが、セット２０は前述のセットに対して逆の構成であり、吸気口１３’およびセット２０の開放溝１７’は、内側リング４ａの下部自由端部につながる。溝１４’および１７’の長さは、壁１０に対してリング４の高さが低いため、溝１４および１７の長さよりも短い。突起１８は、リング４の軸方向の移動中にセット２０内を移動し、リング４が上記開口２ａに近づくことによって、軸方向への移動の終わりにセット２０から外れる。
【００４８】
図２に示すように、このセット２０の吸気口１３’は、同じ図２に示す、シール３がねじられていない上記開放位置における壁１０の吸気口１３とは正反対である。
【００４９】
内側リング４ａはまた、リング４ａの内面からリング４ａの内部に径方向に突出する突起２１を備える。上記突起２１は、上記セット２０が備える吸気口１３’とは正反対に位置する。図６に示す開放位置において、上記突起２１は突起１８とは正反対に位置する。
【００５０】
図を参照して分かるように、容器１は、突起１８および２１を上記吸気口１３、１３’にはめ、次に、上記段差を横切り、上記中間溝１２、１２’に到達することによって組み立てられる。容器１はこのとき、図３から図６に示すように、開口２ａが完全に開放された位置にある。この開放位置では、リング４は軸方向の位置にあり、壁１０の自由端部からは離れており、シール３は上記第１の部分、上記中間部分および上記第２の部分を形成する。この開放位置において、容器１に含有される製品が容器から開口２ａを通じて注出されるとき、この製品はシール３の上記第１の部分および上記中間部分に沿って流れるが、シールの上記第２の部分の上は流れない。
【００５１】
上記開放位置から、容器１を封鎖する動きは以下のように行われる。
−突起１８および２１が斜めの溝１４、１４’内で移動すると、まず、リング４が開口２ａに向かって軸方向に移動し（図７から図１０を参照）、同時にシール３のねじりが開始される。この軸方向の移動によって、シール３の上記第１の部分および上記中間部分が本体２の内部に向かって後退し、第１の部分および中間部分に残っている製品残留物は、封鎖中にねじられるように設計されているシール３の領域よりも下部になる。
−突起１８が溝１４’の外側に外れ、突起２１が円周溝１５内で移動することによって、周壁１０に対するリング４の旋回移動が誘導され、さらにシールをねじる。
−突起２１が切込み１６のいずれかに係合し、その突起がその切込みに維持されると、リング４上でねじられたシール３によって加えられる軸方向の弾性復元力によって、突起は切込みに維持される。この係合によって、リング４を選択した角度位置に維持し、部分的にまたは完全に容器１を封鎖することができる。
【００５２】
この部分的または完全な封鎖中に、上記製品残留物はねじられたシール３によって形成される膜の内面に位置し、膜の外面には製品は存在しない。
【００５３】
溝１４に最も近い切込み１６によって、リング４を図７から図１０に示す「調理位置」に維持することができる。次の４つの切込み１６のうちいずれかによって、リング４を図１１から図１４に示す「ストロー位置」に維持することができ、このとき、ストローの周りにシール３が形成する膜によって封止が適用される。溝１５の端部に位置する切込み１６によって、リング４を図１５から図１８に示す完全に閉じた位置に維持することができる。
【００５４】
開口２ａを上記封鎖位置から解放する動きは、前述の順序とは逆の順序で行われる。
【００５５】
容器１を洗浄するためには、リング４は上記開放位置にある。ユーザは、溝１２、１７と１２’、１７’を分離している段差を超えるように、力を込めてリングを旋回させる。図１９から図２２に示すように、突起１８、２１は次に、開放溝１７、１１、１７’を超えて開放位置まで移動する。リング４のこの移動によって、シール３を伸ばすことができ、したがって、容器１の洗浄がより簡単になる。この位置において、シール３が本来の位置に戻ろうとする弾性復元によって、突起１８、２１は、吸気口１３、１３’から後退する。
【００５６】
洗浄が済むと、吸気口１３の張り出した形状によって、突起２１を溝１２まで誘導することができる。その結果として、２つの突起１８、２１が溝１２、１２’にそれぞれ復元することが容易になる。
【００５７】
図２４から図２７までは容器１の第２の実施形態を示す。簡略化するために、第１の実施形態の説明と同一の符号を用いて、同一または類似の要素または部分を示す。
【００５８】
本事例では、溝１５は、互いに隣接する多くの切込み１６を形成する。切込み１６のそれぞれは、実質的に互いに直角な２つの壁側面によって画定される。溝１５は、したがって、鋸歯の形状の縁によって長手方向に画定される。
【００５９】
突起２１は、切込み１６に向かう側面上に切込みを有する。それによって、突起は、上記縁によって形成される鋸歯のいずれかと係合することができる。したがって、壁１０に対してリング４が取る可能性のある多くの角度位置において、この突起２１は縁と係合可能である。
【００６０】
突起２１はまた、２つの対向する斜めの形状の側面も有する。それによって、図２６に破線で示すように、突起２１は、調整された様式で斜めの溝１４内で摺動することができる。このように、突起２１を斜めの溝１４内に完全に誘導することが可能となる。
【００６１】
さらに、リング４は、容器１に沿って突出する壁２５を備える。容器１は、こぶ２６を備える。容器１の完全解放位置において、壁２５はこぶ２６に当接する（図２４を参照）。それによって、完全開放位置において、容器１に対してリング４を安定した角度で確実に配置する。
【００６２】
図２８は、前述の例、つまり第１の実施形態に対して説明したような実施形態とは正反対である、溝１２’１４’および吸気口１３’のセットを示す。この第２の実施形態では、図２６および図２７に示すように、開放溝１７は、溝１４と１４との間に位置することに留意されたい。
【００６３】
以上により示したように、本発明は容器を提供し、特に食品用の容器を提供する。これらの容器は、開口を開閉するための操作性、または開口を開閉するために提供される可能性に関して、完全に満足できるという決定的な有利点を有する。これらの容器は、ねじられた状態において、シールによって形成される膜の外面に製品残留物が残るというリスクを取り除く。
【００６４】
記載した実施形態を単に例として参照して、本発明を説明してきた。当然のことながら、本発明はこれらの実施形態には限定されず、添付請求項が網羅するすべての実施形態を含有する。
【図１】
2015516336.tif 000003
【図２】
2015516336.tif 000004
【図３】
2015516336.tif 000005
【図４】
2015516336.tif 000006
【図５】
2015516336.tif 000007
【図６】
2015516336.tif 000008
【図７】
2015516336.tif 000009
【図８】
2015516336.tif 000010
【図９】
2015516336.tif 000011
【図１０】
2015516336.tif 000012
【図１１】
2015516336.tif 000013
【図１２】
2015516336.tif 000014
【図１３】
2015516336.tif 000015
【図１４】
2015516336.tif 000016
【図１５】
2015516336.tif 000017
【図１６】
2015516336.tif 000018
【図１７】
2015516336.tif 000019
【図１８】
2015516336.tif 000020
【図１９】
2015516336.tif 000021
【図２０】
2015516336.tif 000022
【図２１】
2015516336.tif 000023
【図２２】
2015516336.tif 000024
【図２３】
2015516336.tif 000025
【図２４】
2015516336.tif 000026
【図２５】
2015516336.tif 000027
【図２６】
2015516336.tif 000028
【図２７】
2015516336.tif 000029
【図２８】
2015516336.tif 000030
【国際調査報告】
2015516336.tif 000031
2015516336.tif 000032
2015516336.tif 000033
2015516336.tif 000034